(57)【特許請求の範囲】
【請求項１】
分離可能コネクタ用のジャケット組立体であって、ケーブル入口部分とブッシング接合部分と本体部分を備え、
前記ケーブル入口部分は第１の孔を備え、前記第１の孔は前記ケーブル入口部分を軸方向に貫いて延びるとともに、絶縁電力ケーブルを受け入れる大きさを有し、
前記ブッシング接合部分は第２の孔を有する突起部と第３の孔を有するプローブ部を備え、前記第２の孔は圧縮突起を受け入れるために絶縁内部筐体の一部および導電性挿入体の一部を受け入れる大きさを有し、前記第３の孔は前記第２の孔と垂直に配向されるとともに、プローブを受け入れるために前記絶縁内部筐体の他の一部および導電性挿入体の他の一部を受け入れる大きさを有し、
前記本体部分は第４の孔を備え、前記第４の孔は前記本体部分の第１の端部から第２の端部まで軸方向に延び、
前記本体部分は、前記第１の孔、前記第２の孔、および前記第４の孔が軸方向に一列に並ぶように、前記ケーブル入口部分と前記ブッシング接合部分に対して互いに重なり合うように連結され、
前記本体部分は、前記ケーブル入口部分を前記ブッシング接合部分から離間するだけの大きさを有するジャケット組立体。
【請求項２】
前記本体部分の前記第１の端部は、締り嵌めによって前記第１の孔の一部内に受け入れられる、請求項１に記載のジャケット組立体。
【請求項３】
前記第２の孔を備える前記ブッシング接合部分の前記突起部は、締り嵌めによって前記第４の孔の一部内に受け入れられる、請求項２に記載のジャケット組立体。
【請求項４】
前記第１の端部における前記第４の孔の第１の直径は前記第２の端部における前記第４の孔の第２の直径より小さく、
前記本体部分は前記第１の直径と前記第２の直径との間の移行位置において肩部を備え、前記肩部は前記突起部を前記第４の孔に挿入する際の停止位置を提供する、請求項３に記載のジャケット組立体。
【請求項５】
前記ケーブル入口部分、前記ブッシング接合部分、および前記本体部分は、エチレン・プロピレン・ジエンモノマー（ＥＰＤＭ）材料を含む、請求項１に記載のジャケット組立体。
【請求項６】
前記絶縁内部筐体を覆う導電性遮蔽体を含む、請求項１に記載のジャケット組立体。
【請求項７】
第５の孔を有する第２の本体部分をさらに備え、前記第５の孔は前記第２の本体部分の第１の端部から第２の端部まで軸方向に延び、
前記第２の本体部分は、前記第１の孔、前記第２の孔、前記第４の孔、および前記第５の孔が軸方向に一列に並ぶように、前記本体部分と前記ケーブル入口部分に対して互いに重なり合うように連結される、請求項１に記載のジャケット組立体。
【請求項８】
前記本体部分は、異なる軸方向長さを有する複数の本体部分の群から選択される、請求項１に記載のジャケット組立体。
【請求項９】
前記ブッシング接合部分は、前記ブッシング接合部分の外面に１つまたは複数の接地タブをさらに備え、前記ケーブル入口部分は、前記ケーブル入口部分の外面に１つまたは複数の接地タブをさらに備え、前記ブッシング接合部分は、ホットスティックとの係合を可能にするために操作アイをさらに備える、請求項１に記載のジャケット組立体。
【請求項１０】
前記ブッシング接合部分の前記突起部の外径は、前記本体部分の前記第１の端部の外径と同じである、請求項１に記載のジャケット組立体。
【発明の詳細な説明】
【技術分野】
【０００１】
本発明は、ロードブレーク・コネクタ（Ｌｏａｄｂｒｅａｋ  Ｃｏｎｎｅｃｔｏｒ）またはデッドブレーク・コネクタ（Ｄｅａｄｂｒｅａｋ  Ｃｏｎｎｅｃｔｏｒ）など、様々な電圧用途用の電気ケーブル・コネクタに関する。より詳細には、本明細書に記載されている態様は、導電性挿入体と、絶縁体によって分離されたジャケットとを有する分離可能コネクタに関する。
【背景技術】
【０００２】
例えば１５ＫＶおよび２５ＫＶの開閉装置と併せて使用されるロードブレーク・コネクタおよびデッドブレーク・コネクタは、概して、電力ケーブルを受け取るように適合された一端と、ロードブレークまたはデッドブレークのブッシング挿入体を受け取るように適合された他端とを有する電力ケーブル・エルボ・コネクタを備えている。
【発明の概要】
【発明が解決しようとする課題】
【０００３】
本発明の目的は、所望の変更可能な用途に容易に適用させることができるように、分離可能コネクタ用ジャケット組立体に適用される新規の構造を提供することである。
【課題を解決するための手段】
【０００４】
本発明の一態様によれば、ケーブル入口部分と、ブッシング接合部分と、本体部分とを備える分離可能コネクタ用ジャケット組立体が提供される。該ケーブル入口部分は第１の孔を備え、該第１の穴は該ケーブル入口部分を軸方向に貫いて延び、絶縁電力ケーブルを受け入れる大きさを有する。該ブッシング接合部分は突起部とプローブ部を備える。該突起部は第２の孔を備え、該第２の孔は圧縮突起を受容するために絶縁内部筐体の一部と導電性挿入体の一部を受け入れる大きさを有する。該プローブ部は該第２の孔と垂直に配向された第３の孔を備え、該第３の孔はプローブを受容するために該絶縁内部筐体の他の一部と導電性挿入体の他の一部を受け入れる大きさを有する。該本体部分は第４の孔を備え、該第４の孔は該本体部分の第１の端部から第２の端部まで軸方向に延びる。該本体部分は、該第１の孔、該第２の孔および該第４の孔が軸方向に一列に並ぶように、該ケーブル入口部分と該ブッシング接合部分に対して互いに重なり合うように連結される。
【図面の簡単な説明】
【０００５】
【図１Ａ】デバイスが本明細書に記載の実施例で用いられ得る環境を示す図である。
【図１Ｂ】デバイスが本明細書に記載の実施例で用いられ得る他の環境を示す図である。
【図２】図１の電力ケーブル・コネクタ・エルボのうちの１つの簡略化された断面図である。
【図３】図２のジャケット組立体の分解側面図である。
【図４】図２のジャケット組立体の分解断面側面図である。
【図５】図３の本体部分の複数の長さの簡略化された側面図である。
【図６】図５の異なる長さの本体部分を用いて作られ得る複数の大きさのジャケット組立体の簡略化された斜視図である。
【図７】図５の複数の本体部分を用いて作られ得るジャケット組立体の簡略化された側面図である。
【発明を実施するための形態】
【０００６】
以下、添付の図面を参照して、本発明を実施するための形態を詳細に説明する。異なる図面における同じ参照番号は、同じ要素または同様の要素を特定し得る。
【０００７】
本実施形態によれば、分離可能コネクタ用ジャケット組立体は、重ね嵌めおよび／または締り嵌めによって結合される複数の部品を備え得る。複数の部品は、ケーブル入口部分と、ブッシング接合部分と、本体部分とを備える。ケーブル入口部分は、ケーブル入口部分を軸方向に貫いて延び、絶縁電力ケーブルを受け入れる大きさを有する孔を備える。ブッシング接合部分は、圧縮突起を受け入れるために絶縁内部筐体の一部および導電性挿入体の一部を受け入れる大きさを持つ他の孔を有する突起部を備える。ブッシング接合部分は、他のデバイスからブッシング挿入体を受け入れるために絶縁内部筐体の他の一部および導電性挿入体の他の一部を受け入れるように構成してもよい。本体部分は、本体部分の第１の端部から第２の端部まで軸方向に延びるさらに他の孔を備える。
【０００８】
本体部分は、３つの部分のそれぞれの孔が軸方向に一列に並ぶように、ケーブル入口部分とブッシング接合部分に対して互いに重なり合うように連結される。ケーブル入口部分およびブッシング接合部分は、所望の用途に関して共通部品であってもよいが、本体部分は、ケーブル入口部分とブッシング接合部分とを結合して異なる長さのジャケット組立体を形成するために、種々の長さを持つようにして提供してもよい。
【０００９】
図１Ａおよび図１Ｂに、デバイスが本実施によって用いられる環境を示す。図１Ａの電力ケーブル・コネクタ・エルボ１０などの標準の分離可能コネクタは、様々な不具合のため、交換を必要とする可能性がある。図１Ｂの電力ケーブル・コネクタ・エルボ２０などの交換用分離可能コネクタは、典型的には、標準のコネクタで用いられているものより、長い筐体と長い内部圧縮突起（例えば、図２に示す突起６０）とを備えている。交換用分離可能コネクタは、標準のエルボで接続されるには短すぎるケーブル３０を収容する。電力ケーブル・コネクタ・エルボ２０は、例えば、（１）ケーブルが剥かれて新しい圧縮突起が適用されなければならない不具合のあるエルボ接続部を修理するために、（２）ケーブルが誤って短く切り取られたときに追加の長さを得るために、もしくは、新しい装置を既存のケーブルへと接続するために、または、（３）ケーブルを変えることなく機器接続をライブフロントからデッドフロントへと変えるために、使用され得る。電力ケーブル・コネクタ・エルボ２０は、２００Ａｍｐ、６００Ａｍｐ、９００Ａｍｐ、または、より大きい用途など、様々な電力分配システム用途に対する寸法の大きさとされ得る。
【００１０】
図１Ａおよび図１Ｂに示すように、電力ケーブル・コネクタ・エルボ１０／２０の各々は、その中に電力ケーブル３０を受け取るための導体受入端１２と、デッドブレークもしくはロードブレークの変圧器のブッシングなどの機器ブッシング、または絶縁プラグもしくは他の電力機器などの他の高電圧もしくは中電圧の端子を受け取るための開口を備えるブッシング接合部１４とを備え得る。電力ケーブル・コネクタ・エルボ１０／２０の各々は、試験ポイント端子１６と操作アイ１８も備え得る。図１Ａおよび図１Ｂでは取り外し可能なカバーを伴って示されている試験ポイント端子１６は、電力ケーブル・コネクタ・エルボ１０／２０内の回路が通電されているかどうかを判定するための電極を備え得る。操作アイ１８は、技術者によって使用されるホットスティック（ｈｏｔｓｔｉｃｋ）または他のデバイスとの係合を可能にして、電力ケーブル・コネクタ・エルボ１０／２０を操るために、剛体の環体を備え得る。したがって、本実施例によれば、電力ケーブル・コネクタ・エルボ１０および電力ケーブル・コネクタ・エルボ２０の外部構造は、図１Ｂに示す追加の部分１５を除いて同一であり得る。
【００１１】
図２に追加の内部部品のある電力ケーブル・コネクタ・エルボ２０の簡略化された断面図を示す。電力ケーブル・コネクタ・エルボ２０は、該エルボの接続部を囲む導電性挿入体４０と、絶縁内部筐体５０とを、ジャケット組立体１００内に備えている（ジャケット組立体１００は遮蔽体とも称される）。組立の一方法では、ジャケット組立体１００は導電性挿入体４０全体を囲むように配置し、絶縁内部筐体５０のための材料は導電性挿入体４０とジャケット組立体１００との間に注入されて電力ケーブル・コネクタ・エルボ２０を完成させる。絶縁内部筐体５０は絶縁性のゴムまたはエポキシ材料を含んでもよく、導電性挿入体４０は一般的にＥＰＤＭ（エチレン・プロピレン・ジエンモノマー）と称される過酸化物硬化合成ゴムなど、導電性または半導電性の材料を含んでもよい。図２に示すように、延伸された圧縮突起６０が導体受入端１２を通じて、導電性挿入体４０、絶縁筐体５０およびジャケット組立体１００に形成された軸方向孔に挿入される。圧縮突起６０は電力ケーブル３０との電気接続を提供する。図２でさらに示すように、導電性のプローブ７０（スタッドとも称される）がブッシング接合部１４を通じて、導電性挿入体４０、絶縁内部筐体５０、およびジャケット組立体１００に形成された他の軸方向孔に挿入される。したがって、プローブ７０はコネクタ・エルボ２０内で圧縮突起６０に連結できる。
【００１２】
ジャケット組立体１００は、例えば、導電性挿入体４０（例えばＥＰＤＭゴム）と同じ材料、または他の半導電性材料から形成される。本実施例によれば、ジャケット組立体１００は業界の基準（例えばＩＥＥＥ  Ｓｔａｎｄａｒｄ  ５９２、Ｒｅｖ．２００７）を満たす保護デッドフロント遮蔽体を工業用分離可能コネクタ（例えば１０，０００Ａｍｐを接地へと通す）に提供するために、複数の重なった構成部品で連結され得る。
【００１３】
図３にジャケット組立体１００の分解図を、図４にジャケット組立体１００（試験ポイント端子１６のカバーが取り外された状態）の分解断面図を示す。図１〜図４をまとめて参照すると、本実施例によれば、ジャケット１００は、１つまたは複数の本体部分１３０によって重なった形態で結合される共通のケーブル入口部分１１０と共通のブッシング接合部分１２０とを備える（例えば、２００Ａｍｐロードブレーク、２００Ａｍｐデッドブレーク、６００Ａｍｐデッドブレークなど、具体的な用途のための寸法とされた各々の共通の部分１１０／１２０）。
【００１４】
ケーブル入口部分１１０は、電力ケーブル受入端１１２から本体延伸受入端１１３まで延びる軸方向孔１１１と、１つまたは複数の接地タブ１１４を備える。本実施形態では、用語「孔」は、穴、管、または、中空で円筒形の物体もしくはデバイスの内径を指すものとする。一実施例では、軸方向孔１１１は、本体延伸受入端１１３側の大きい直径１１６から、電力ケーブル受入端１１２側の小さい直径１１５に向かって次第に先細りする形を有する。電力ケーブル受入端１１２側の小さい直径１１５は、ケーブル・ジャケットが取り外された状態で絶縁電力ケーブル３０を収容して支持する大きさである。本体延伸受入端１１３側の軸方向孔１１１の大きい直径１１６は、本体部分１３０の対応する端部（例えば、第１の端部１３２）を、重ね嵌めおよび／または締り嵌めによって受け入れる大きさである。接地タブ１１４は、ケーブル入口部分１１０への付属物として成形でき、接地線の取り付けのための穴を備えてもよい。
【００１５】
ブッシング接合部分１２０は、軸方向孔１２３が他の軸方向孔１２５のある本質的に垂直なプローブ部１２４と結合されている突起部１２２を備えるエルボ曲げを提供する。ブッシング接合部分１２０は接地タブ１２９を備えてもよい（図３および図４に示す）。突起部１２２は、試験ポイント端子１６および操作アイ１８のための外装／開口を備える。軸方向孔１２３の内径１２７は、絶縁内部筐体５０の一部と導電性挿入体４０（これらは圧縮突起６０のための内部孔を有する）とを収容する大きさを持つ。突起部１２２は本体部分１３０の内径（例えば後述する内径１３６）と等しいかまたは若干大きい外径１２６を有する。軸方向孔１２５の内径１２８は、絶縁内部筐体５０の一部と導電性挿入体４０（これらはプローブ７０のための内部孔を有する）とを収容する大きさを持つ。プローブ７０はブッシング接合部分１２０内で、圧縮突起６０の端部に捩じ込まれか、あるいはその端部を通じて挿入される。一実施例では、プローブ部１２４の遠位端は、ロードブレーク・ブッシング挿入体または他の開閉デバイスを受け入れるように形成される。ブッシング挿入体を受け入れるように形成されたプローブ部１２４の遠位端は、ブッシング挿入体の成形フランジとの重ね嵌めおよび／または締り嵌めを提供するためのエルボ・カフを備える。接地タブ１２９は、例えば、突起部１２２とプローブ部１２４との合流部の近くにおいて、ブッシング接合部分１２０への付属物として成形でき、接地線の取り付けのための穴を備えてもよい。
【００１６】
本体部分１３０は、図１Ｂに示す追加部分１５を形成するために用いられる。本体部分１３０は、第１の端部１３２から第２の端部１３４まで延びる軸方向孔１３１を備える。第１の端部１３２では、軸方向孔１３１は、軸方向孔１２３の直径と同一の（またはほぼ同じ）直径１３３を有する。これは導電性挿入体４０および絶縁内部筐体５０の一部を収容する大きさである。第１の端部１３２は本体延伸受入端１１３における軸方向孔１１１の直径１１６と同じか、それより若干大きい外径１３５を有する。したがって、第１の端部１３２は、本体延伸受入端１１３において軸方向孔１１１に挿入されて、重ね嵌めおよび／または締り嵌めを形成することができる。第２の端部１３４では、軸方向孔１３１は突起部１２２の外径１２６と同じか、それより若干小さい内径１３６を有する。一実施例では、内径１３６は、本体延伸受入端１１３における軸方向孔１１１の直径１１６と同じである。したがって、突起部１２２は、第２の端部１３４において軸方向孔１３１に挿入されて、重ね嵌めおよび／または締り嵌めを形成することができる。一実施例では、外径１３５は突起部１２２の外径１２６と同じである。
【００１７】
図４に示すように、軸方向孔１１１が直径１１６から直径１１５に向かって先細りし始める移行位置に、肩部１１７が形成される。肩部１１７は、本体部分１３０（例えば、第１の端部１３２）または突起部１２２が軸方向孔１１１に挿入される際の停止位置を提供する。肩部１１７と本体延伸受入端１１３との間の距離Ｄは、ケーブル入口部分１１０と突起部１２２または本体部分１３０とが連続して成形された一体品である場合と同様の接地特性を提供するために、ケーブル入口部分１１０と突起部１２２または本体部分１３０との間の十分な重なりを提供する。一実施例では、接合材料または潤滑剤がケーブル入口部分１１０と突起部１２２または本体部分１３０との境界面に塗布され、これにより、両者が適切に接触すること、その接触が維持されることを確実にする。
【００１８】
同様に、肩部１３７が、軸方向孔１３１の直径１３３と直径１３６との間の移行位置に形成される。肩部１３７は、突起部１２２が軸方向孔１３１に挿入される際の停止位置を提供する。肩部１３７から第２の端部１３４への距離Ｄは、突起部１２２と本体部分１３０とが連続して成形された一体品である場合と同様の接地特性を提供するために、突起部１２２と本体部分１３０との間の十分な重なりを提供する。一実施例では、距離Ｄは半インチ（１．２７ｃｍ）を超える。一実施例では、接合材料または潤滑剤が突起部１２２と本体部分１３０との境界面に塗布され、これにより両者が適切に接触すること、その接触が維持されることを確実にする。
【００１９】
図５に種々の長さの本体部分１３０（１３０−１、１３０−２、１３０−３）の簡略化された側面図を示す。本実施形態によれば、本体部分１３０は、各々の本体部分１３０の軸方向長さが、（同じ電圧定格に対して設計された電力ケーブル・コネクタ・エルボ１０と比較して）、電力ケーブル・コネクタ・エルボ２０に関するケーブル入口部分１１０とブッシング接合部分１２０との間の所望の延伸長さと一致するように、種々の大きさを持つように製作することができる。延伸長さ（例えば、Ｌ１、Ｌ２、Ｌ３など）は、追加的な重ね部分５０２を引いた本体部分１３０−１、１３０−２、または１３０−３のそれぞれの全長である。重ね部分５０２は、ケーブル入口部分１１０の肩部１１７と本体延伸受入端１１３との間の距離Ｄ（図４）に相当する。例えば、本体部分１３０−１は２インチ（５．０８ｃｍ）の延伸Ｌ１に相当し、本体部分１３０−２は４インチ（１０．１６ｃｍ）の延伸Ｌ２に相当し、本体部分１３０−３は６インチ（１５．２４ｃｍ）の延伸Ｌ３に相当する。
【００２０】
図６に図５の異なる本体部分１３０を用いて作られる複数の大きさのジャケット組立体１００（１００−１、１００−２、１００−３）の簡略化された斜視図を示す。より具体的には、異なる長さの本体部分１３０−１、１３０−２、および／または１３０−３を、ジャケット組立体１００−１、１００−２、および／または１００−３を組み立てるために選択することができる。ケーブル入口部分１１０とブッシング接合部分１２０は、特定の電圧用途のための大きさを持つ標準的な部品であってもよい。本体部分１３０−１は、図１Ｂの電力ケーブル・コネクタ・エルボ２０などの交換用分離可能コネクタのためのジャケット組立体１００−１を作り出すために、１つのケーブル入口部分１１０と１つのブッシング接合部分１２０との間で、（例えば、前述のような重ね嵌めおよび／または締り嵌めを介して）連結することができる。一実施例では、ケーブル入口部分１１０、ブッシング接合部分１２０、および本体部分１３０−１は、適切な大きさの導電性挿入体４０を覆うように配置され（図２）、絶縁内部筐体５０のための材料が導電性挿入体４０とジャケット組立体１００−１の間に注入されて、電力ケーブル・コネクタ・エルボ２０が形成される。本実施形態によれば、ジャケット組立体１００−１、１００−２、および１００−３は、特定の用途のための異なる大きさの電力ケーブル（図１の電力ケーブル３０）を収容するために、異なる孔径を持つように形成される。したがって、本体部分１３０−１、１３０−２、および１３０−３は、軸方向長さと共に、直径も異なるようにして提供される。
【００２１】
図７に図５の複数の本体部分１３０を用いて作られるジャケット組立体２００の簡略化された側面図を示す。具体的には、異なる本体部分１３０が、図１Ｂの電力ケーブル・コネクタ・エルボ２０などの交換用分離可能コネクタのためのジャケット組立体２００を作り出すために、１つのケーブル入口部分１１０と１つのブッシング接合部分１２０との間で順に結合される（同図に接地タブ１２９を示すがこれは任意である）。２つの本体部分１３０は、一方の本体部分１３０の一端がケーブル入口部分１１０と結合され、他方の本体部分１３０の他端がブッシング接合部分１２０と結合されるのと同じように、重ね嵌めおよび／または締り嵌めで互いと連結される。このようにして、複数の本体部分１３０を、所望の分離可能コネクタ用途のための異なる長さのジャケットを形成するために結合することができる。ケーブル入口部分１１０およびブッシング接合部分１２０についても、異なる直径のものを用いてもよい。
【００２２】
本実施形態によれば、複数部品ジャケット組立体は、導電性ジャケットの現在の１つまたは２つの部品設計を置き換えることができる。複数部品ジャケット組立体は、エルボの修理および交換で使用するために、複数の長さの本体部分を持つ共通のケーブル入口部分とブッシング接合部分とを可能にする。複数部品ジャケット組立体は、より多くの共通製品の成形を可能にし、そのため、特別な製品（例えば、特定の本体部分）を単純化してそのコストを低減する。ジャケットの３つの構成部品は、分離可能なコネクタ・システムの安全性および保護のため、絶縁体にわたって完全な導電性の遮蔽体を作り出すために互いに重なり合うことになる。導電性の構成部品の重なりと適切な接合／接地とは、不具合が起きた場合、導電性ジャケット組立体に分離可能コネクタにある導体を接地させることができる。
【００２３】
以上の記載は例示とその説明を提供するものであり、本実施形態を前述の具体的な構成に限定することを意図するものではない。前述の教示を元にして、様々な改良および変更を加えることが可能であり、また本実施形態を実施する際に実際に得られるはずである。例えば、本実施例は、１５ｋＶ、２５ｋＶ、または３５ｋＶの機器を含む、高電圧開閉機器など、他のデバイスと併せて用いてもよい。
【００２４】
例えば、主として電気的な接続コネクタに関連して本発明の様々な特徴を説明した。しかし、他の実施例として、他の中電圧／高電圧の電力部品が、前述の犠牲的な付属物／アダプタの構成を含むように構成されてもよい。
【００２５】
以上、本発明を詳細に説明したが、本発明がその精神から逸脱することなく改良され得ることが当業者には明白であることは、明確に理解されるであろう。形態、設計、または構成の様々な変更が、本発明の精神および範囲から逸脱することなく、本発明に行われ得る。そのため、前述の説明は、限定ではなく例示と見なされるものであり、本発明の真の範囲は、以下の特許請求の範囲において定義されているものである。
【００２６】
本出願の記載において用いられている要素、動作、または命令は、明示的に記載されていない場合、本発明にとって重大または必然として解釈されるべきではない。また、本明細書で用いられるとき、冠詞「ａ」は、１つまたは複数のものを含むように意図されている。さらに、「に基づいて」という句は、他に明示的述べられていない場合、「〜に少なくとも一部において基づく」を意味するように意図されている。
【図１Ａ】
0006262269.tif 000002
【図１Ｂ】
0006262269.tif 000003
【図２】
0006262269.tif 000004
【図３】
0006262269.tif 000005
【図４】
0006262269.tif 000006
【図５】
0006262269.tif 000007
【図６】
0006262269.tif 000008
【図７】
0006262269.tif 000009